(57)【要約】【課題】ユーザによって把持された場合におけるアンテナ特性劣化を抑えることを実現する電子機器を提供する。【解決手段】実施形態によれば、表示画面が筐体の前面から露出される表示装置と、第１の無線通信モジュールと、第２の無線通信モジュールと、前記第１の無線通信モジュール用の１以上の第１のアンテナと、前記第２の無線通信モジュール用の１以上の第２のアンテナとを具備する。前記第１のアンテナおよび前記第２のアンテナの各々２つが、前記表示画面の周辺部であって、前記筐体の直交する２辺中の異なる辺にそれぞれ配置され、かつ、前記各２つのうちの少なくとも１つが、各辺の中央部に配置される。【選択図】図１
2012199687.tif 000002
【特許請求の範囲】
【請求項１】
表示画面が筐体の前面から露出される表示装置と、
第１の無線通信モジュールと、
第２の無線通信モジュールと、
前記第１の無線通信モジュール用の１以上の第１のアンテナと、
前記第２の無線通信モジュール用の１以上の第２のアンテナと、
を具備し、
前記第１のアンテナおよび前記第２のアンテナの各々少なくとも２つが、前記表示画面の周辺部であって、前記筐体の直交する２辺に配置され、かつ、前記２辺に配置される前記第１のアンテナおよび前記第２のアンテナの各々１つが、前記２辺の中央部に配置される、
電子機器。
【請求項２】
前記筐体の１辺の中央部に配置される前記第１のアンテナおよび前記筐体の１辺と直交する前記筐体の他辺の中央部に配置される前記第２のアンテナは、送信用または送受信用のアンテナである請求項１に記載の電子機器。
【請求項３】
前記筐体の１辺の中央部に配置される前記第１のアンテナ以外のその他の前記第１のアンテナは、前記筐体の他辺であって前記第２のアンテナが配置される中央部から前記筐体の１辺方向と対向する位置に配置され、前記筐体の他辺の中央部に配置される前記第２のアンテナ以外のその他の前記第２のアンテナは、前記筐体の１辺であって前記第１のアンテナが配置される中央部から前記筐体の他辺方向と対向する位置に配置される請求項２に記載の電子機器。
【請求項４】
前記筐体の１辺の中央部に配置される前記第１のアンテナ以外のその他の前記第１のアンテナおよび前記筐体の他辺の中央部に配置される前記第２のアンテナ以外のその他の前記第２のアンテナは、受信用のアンテナである請求項１に記載の電子機器。
【請求項５】
バッテリと、
前記筐体の側面に設けられ、前記バッテリの充電に用いられる電力を入力するためのコネクタと、
を具備し、
前記筐体の１辺または前記筐体の他辺の一方は、前記コネクタが位置する前記筐体の辺と対向する前記筐体の辺である請求項１に記載の電子機器。
【請求項６】
前記筐体の前面に設けられる操作キーを具備し、
前記筐体の１辺および前記筐体の他辺は、前記操作キーが位置する前記筐体の辺と異なる辺である請求項１に記載の電子機器。
【請求項７】
バッテリと、
前記バッテリを電気的に非接触で充電するためのワイヤレス充電アンテナと、
を具備し、
前記ワイヤレス充電アンテナは、前記筐体の１辺と前記筐体の他辺とが交わる前記筐体の一角と対向する前記筐体の一角に配置される請求項１に記載の電子機器。
【請求項８】
前記ワイヤレス充電アンテナは、矩形に形成され、第１の辺が、前記筐体の１辺と対向する辺に沿い、前記第１の辺と直交する第２の辺が、前記筐体の他辺と対向する辺に沿うように配置される請求項７に記載の電子機器。
【請求項９】
前記ワイヤレス充電アンテナは、第１の部分と前記第１の部分と直交する第２の部分とからなるＬ字型に形成され、前記第１の部分が、前記筐体の１辺と対向する辺に沿い、前記第２の部分が、前記筐体の他辺と対向する辺に沿うように配置される請求項７に記載の電子機器。
【請求項１０】
表示画面が筐体の前面から露出される表示装置と、
第１の無線通信モジュールと、
第２の無線通信モジュールと、
前記第１の無線通信モジュール用の１以上の第１のアンテナと、
前記第２の無線通信モジュール用の１以上の第２のアンテナと、
を具備し、
前記第１のアンテナおよび前記第２のアンテナの各々少なくとも２つが、前記表示画面の周辺部であって、前記筐体の直交する２辺に配置され、かつ、前記２辺に配置される前記第１のアンテナまたは前記第２のアンテナの１つが、前記２辺中の１辺の中央部に配置される、
電子機器。
【請求項１１】
前記２辺中の１辺の中央部に配置される前記第１のアンテナまたは前記第２のアンテナの１つは、送信用または送受信用のアンテナである請求項１０に記載の電子機器。
【発明の詳細な説明】
【技術分野】
【０００１】
本発明の実施形態は、無線通信機能を有し、かつ、片手または両手で把持された状態で利用され得る電子機器に関する。
【背景技術】
【０００２】
近年、例えばタブレット端末などと称される、手書き入力機能を備えた電子機器が普及し始めている。また、この種の電子機器は、無線通信機能を有することが一般的になりつつある。この種の電子機器を携行すれば、ユーザは、例えば外出先や移動中でも、電子メールを送受信したり、Ｗｅｂページを閲覧するといったことが可能となる。
【０００３】
つまり、この種の電子機器は、例えば車中などにおいて、ユーザによって把持された状態で利用されるものと考えられる。このような利用形態を考慮して、ユーザによって把持された状態でも良好な無線通信が行えるようにアンテナを構成する仕組み等がこれまでも種々提案されている。
【先行技術文献】
【特許文献】
【０００４】
【特許文献１】特許第４３８９５４０号公報
【発明の概要】
【発明が解決しようとする課題】
【０００５】
ところで、最近では、薄いボード状の筐体を有し、筐体の前面に配置されたタッチパネルディスプレイを（長手方向にＹ軸を取った）縦長または（長手方向にＸ軸を取った）横長のいずれの方向でも利用でき、かつ、片手または両手のいずれでも持たれ得る電子機器が増えている。また、（音声通話およびデータ通信の少なくとも一方を含む）移動体通信サービスを受けるための無線通信システム、公衆無線ＬＡＮサービスを受けるための無線通信システム、周辺機器との間で無線通信を行うための無線通信システム等、複数の無線通信システムを搭載する電子機器も増えている。
【０００６】
これに伴い、電子機器がいずれの方向で用いられ、また、電子機器が片手または両手のいずれで持たれたとしても、即ち、筐体のどの部分を握られても、複数の無線通信システムそれぞれが常時良好に無線通信を行うことのできる対策が求められている。
【０００７】
本発明は、このような事情を考慮してなされたものであり、ユーザによって把持された場合におけるアンテナ特性劣化を抑えることを実現する電子機器を提供することを目的とする。
【課題を解決するための手段】
【０００８】
実施形態によれば、電子機器は、表示画面が筐体の前面から露出される表示装置と、第１の無線通信モジュールと、第２の無線通信モジュールと、前記第１の無線通信モジュール用の１以上の第１のアンテナと、前記第２の無線通信モジュール用の１以上の第２のアンテナとを具備する。前記第１のアンテナおよび前記第２のアンテナの各々２つが、前記表示画面の周辺部であって、前記筐体の直交する２辺中の異なる辺にそれぞれ配置され、かつ、前記各２つのうちの少なくとも１つが、各辺の中央部に配置される。
【図面の簡単な説明】
【０００９】
【図１】第１実施形態の電子機器の第１のアンテナ配置例を示す図。
【図２】第１実施形態の電子機器の第２のアンテナ配置例を示す図。
【図３】第１実施形態の電子機器を両手で握って利用する形態を説明するための図。
【図４】第１実施形態の電子機器を片手で握って利用する形態を説明するための図。
【図５】２つの無線通信システムを搭載する電子機器における一般的なアンテナ配置の第１の例を示す図。
【図６】２つの無線通信システムを搭載する電子機器における一般的なアンテナ配置の第２の例を示す図。
【図７】第１実施形態の電子機器の第１のアンテナ配置例の変形例を示す図。
【図８】第１実施形態の電子機器の第２のアンテナ配置例の変形例を示す図。
【図９】第２実施形態の電子機器の第１のアンテナ配置例を示す図。
【図１０】第２実施形態の電子機器の第２のアンテナ配置例を示す図。
【図１１】第３実施形態の電子機器の第１のアンテナ配置例を示す図。
【図１２】第３実施形態の電子機器の第２のアンテナ配置例を示す図。
【図１３】第４実施形態の電子機器のワイヤレス充電アンテナの回路基板上への載置例を示すための外観図。
【図１４】第４実施形態の電子機器のワイヤレス充電アンテナの回路基板上への載置例を示すための部分断面図。
【図１５】第５実施形態の電子機器の第１のアンテナ配置例を示す図。
【図１６】第５実施形態の電子機器の第１のアンテナ配置例を示す図。
【図１７】第６実施形態の電子機器が充電機能付きの拡張ユニットにセットされた様子を示す図。
【図１８】第６実施形態の電子機器のワイヤレス充電アンテナの配置例を示す第１の図。
【図１９】第６実施形態の電子機器のワイヤレス充電アンテナの配置例を示す第２の図。
【発明を実施するための形態】
【００１０】
以下、実施の形態について図面を参照して説明する。
【００１１】
（第１実施形態）
まず、第１の実施の形態について説明する。
【００１２】
図１は、本実施形態の電子機器１００の外観およびアンテナ配置を示す図である。本電子機器１００は、例えば、タブレット端末などと称される、データ入力をタッチパネルディスプレイ４によって受け付ける携帯情報端末として実現されている。
【００１３】
本電子機器１００は、薄いボード状の筐体を有している。ユーザは、筐体の前面中央に配置されるタッチパネルディスプレイ４に例えばペンで触れることにより、クリック操作や筆記入力操作など、様々なデータ入力操作を行うことができる。タッチパネルディスプレイ４への入力は、例えば指によっても可能である。タッチパネルディスプレイ４の表示画面は、（筐体の前面の面積の半分以上を占めるサイズである）例えば７インチ程度のサイズを有する。従って、本電子機器１００は、手のひらサイズなどと称される携帯情報端末のように手のひらに載せて利用するのではなく、筐体の端部を両手または片手で握って利用するタイプの携帯情報端末である。また、本電子機器１００は、タッチパネルディスプレイ４を（長手方向にＹ軸を取った）縦長または（長手方向にＸ軸を取った）横長のいずれの方向でも利用することができる。
【００１４】
なお、ここでは、本電子機器１００が、表示装置として、データ入力機能を有するタッチパネルディスプレイ４を搭載する例を示すが、これに限定されず、例えばポインティングデバイス等のデータ入力手段を別途設け、データ入力機能を有しないＬＣＤ（Liquid crystal display）等を搭載することも可能である。
【００１５】
また、本電子機器１００は、移動体通信サービスを受けるための無線通信システム、公衆無線ＬＡＮサービスを受けるための無線通信システムおよび周辺機器との間で無線通信を行うための無線通信システムを有している。移動体通信サービスを受けるための無線通信システム用のアンテナとして、本電子機器１００には、送受信（Ｔｘ，Ｒｘ）用のセルラメインアンテナ１ａと、受信（Ｒｘ）用のセルラサブアンテナ１ｂとが搭載される。また、公衆無線ＬＡＮサービスを受けるための無線通信システム用および周辺機器との間で無線通信を行うための無線通信システム用のアンテナとして、本電子機器１００には、送受信用のBluetooth（登録商標）／ＷｉＦｉアンテナ２ａ（以下、ＢＴ／ＷｉＦｉアンテナ２ａと称する。）と、受信用のＷｉＦｉ［２］アンテナ２ｂとが搭載される。さらに、本電子機器１００は、ＧＰＳ（Global positioning system）機能を有しており、当該ＧＰＳ機能用のＧＰＳアンテナ３を搭載する。
【００１６】
前述したように、本電子機器１００は、筐体の端部を両手または片手で握って利用するタイプの携帯情報端末であり、タッチパネルディスプレイ４を縦長または横長のいずれの方向でも利用することができる。また、本電子機器１００は、図１に示したように、（表示画面が筐体の前面の面積の半分以上を占めるサイズを有する）タッチパネルディスプレイ４が筐体の前面中央に配置され、かつ、筐体は、薄いボード状である。従って、セルラメインアンテナ１ａ、セルラサブアンテナ１ｂ、ＢＴ／ＷｉＦｉアンテナ２ａ、ＷｉＦｉ［２］アンテナ２ｂおよびＧＰＳアンテナ３は、必然的に、タッチパネルディスプレイ４の周辺部であって、手で握られる可能性のある筐体の端部に配置されることになる。
【００１７】
このような条件下において、本電子機器１００は、いずれの方向で用いられ、また、片手または両手のいずれで持たれたとしても、即ち、筐体のどの部分を握られても、複数の無線通信システムそれぞれが常時良好に無線通信を行えるように、ユーザによって把持された場合におけるアンテナ特性劣化を抑える仕組みを備えたものであり、以下、この点について詳述する。
【００１８】
図１に示すように、本電子機器１００は、第１に、移動体通信サービスを受けるための無線通信システム用のアンテナであるセルラメインアンテナ１ａおよびセルラサブアンテナ１ｂの２つのアンテナと、公衆無線ＬＡＮサービスを受けるための無線通信システム用および周辺機器との間で無線通信を行うための無線通信システム用のアンテナであるＢＴ／ＷｉＦｉアンテナ２ａおよびＷｉＦｉ［２］アンテナ２ｂの２つのアンテナとのうち、それぞれの少なくとも１つを、筐体の直交する２辺中の互いに異なる辺の中央部に各々配置するようにした。
【００１９】
また、本電子機器１００は、第２に、上記２つの無線通信システムそれぞれについて、（各辺の中央部に配置したアンテナ以外の）その他のアンテナの少なくとも１つを、他の無線通信システムのアンテナが中央部に配置された辺に配置し、かつ、当該その他のアンテナが、その辺の中央部から自システムの別アンテナが中央部に配置された辺方向と対向する領域に位置するようにした。
【００２０】
より具体的には、第１に、セルラメインアンテナ１ａおよびセルラサブアンテナ１ｂの２つのアンテナのうち、セルラメインアンテナ１ａを、筐体の長手方向の辺の中央部に配置すると共に、ＢＴ／ＷｉＦｉアンテナ２ａおよびＷｉＦｉ［２］アンテナ２ｂの２つのアンテナのうち、ＢＴ／ＷｉＦｉアンテナ２ａを、セルラメインアンテナ１ａが中央部に配置された辺と直交する辺の中央部に配置する。各無線通信システムの２つのアンテナのうち、辺の中央部に配置するアンテナは、受信専用のアンテナよりも（受信に加えて）送信の用途を含むアンテナを優先して選択することが好ましい。
【００２１】
また、第２に、セルラサブアンテナ１ｂを、ＢＴ／ＷｉＦｉアンテナ２ａが中央部に配置された辺の当該ＢＴ／ＷｉＦｉアンテナ２ａよりもセルラメインアンテナ１ａから離れる側に配置すると共に、ＷｉＦｉ［２］アンテナ２ｂを、セルラメインアンテナ１ａが中央部に配置された辺の当該セルラメインアンテナ１ａよりもＢＴ／ＷｉＦｉアンテナ２ａから離れる側に配置する。
【００２２】
なお、ＧＰＳアンテナ３は、セルラメインアンテナ１ａが中央部に配置された辺（スペースが確保し易い筐体の長手方向の辺）の当該セルラメインアンテナ１ａからＷｉＦｉ［２］アンテナ２ｂ方向と対向する位置に配置する。
【００２３】
このセルラメインアンテナ１ａおよびセルラサブアンテナ１ｂと、ＢＴ／ＷｉＦｉアンテナ２ａおよびＷｉＦｉ［２］アンテナ２ｂとの位置関係は、図２に示すように、互いに入れ替えることも可能である。
【００２４】
ここで、図１および図２に加えて、図３および図４を参照しながら、図１および図２に示した本電子機器１００におけるアンテナ配置の基本的な考え方を説明する。
【００２５】
図３は、本電子機器１００を両手で握って利用する形態を説明するための図である。図３中、”ａ１”および”ａ２”は、タッチパネルディスプレイ４を縦長の方向で利用する場合を示し、”ｂ１”および”ｂ２”は、タッチパネルディスプレイ４を横長の方向で利用する場合を示している。
【００２６】
図３に示すように、本電子機器１００を両手で握って利用する場合、タッチパネルディスプレイ４を縦長または横長のいずれの方向で利用する場合でも、筐体の対向する２辺が握られると考えられる。また、各辺の中央部よりも下端部が握られる可能性が高いと推測される。従って、各無線通信システムの少なくとも１つのアンテナを辺の中央部に配置することにより、当該アンテナを、手で覆われていない状態に維持する確率を高めることができ、かつ、各無線通信システムの２つのアンテナを、直交する２辺に配置することにより、（可能性が低いと推測される）中央部が握られた場合であっても、少なくとも１つのアンテナを、手で覆われていない状態に維持することができる。
【００２７】
なお、前述した「各無線通信システムの２つのアンテナのうち、辺の中央部に配置するアンテナは、受信専用のアンテナよりも（受信に加えて）送信の用途を含むアンテナを優先して選択することが好ましい」理由は、ここで説明した、各辺の中央部よりも下端部が握られる可能性が高いと推測されることに基づいている。
【００２８】
また、図４は、本電子機器１００を片手で握って利用する形態を説明するための図である。図４中、”ｃ１”および”ｃ２”は、タッチパネルディスプレイ４を縦長の方向で利用する場合を示し、”ｄ１”および”ｄ２”は、タッチパネルディスプレイ４を横長の方向で利用する場合を示している。
【００２９】
図４に示すように、本電子機器１００を片手で握って利用する場合には、筐体の端部の２箇所が同時に手で覆われることはない。よって、各無線通信システムの２つのアンテナを、直交する２辺に配置する本電子機器１００のアンテナ配置によれば、少なくとも１つのアンテナが、手で覆われてない状態に維持される。
【００３０】
図５および図６は、２つの無線通信システムを搭載する電子機器における一般的なアンテナ配置の例を示す図である。
【００３１】
図５に示す電子機器では、２つの無線通信システムのアンテナ（１，２ａ）を、筐体の対向する２辺中の互いに異なる辺にそれぞれ配置させている。また、図６に示す電子機器では、２つの無線通信システムのアンテナ（１，２）を、筐体の同じ１辺に配置させている。これら２つの電子機器のいずれも、持ち方によっては、いずれの無線通信システムについても、そのアンテナが手で覆われて、アンテナ特性劣化を招くおそれがある。
【００３２】
これに対して、図１または図２に示した、（１）各無線通信システムの少なくとも１つのアンテナを辺の中央部に配置する、（２）各無線通信システムの２つのアンテナを直交する２辺に配置する、といったアンテナ配置を採用する本電子機器１００は、いずれの無線通信システムについてもアンテナ特性劣化を招くことがない。
【００３３】
このように、本電子機器１００は、ユーザによって把持された場合におけるアンテナ特性劣化を抑えることを実現する。
【００３４】
なお、ここでは、セルラサブアンテナ１ｂを、ＢＴ／ＷｉＦｉアンテナ２ａが中央部に配置された辺の当該ＢＴ／ＷｉＦｉアンテナ２ａよりもセルラメインアンテナ１ａから離れる側に配置し、また、ＷｉＦｉ［２］アンテナ２ｂを、セルラメインアンテナ１ａが中央部に配置された辺の当該セルラメインアンテナ１ａよりもＢＴ／ＷｉＦｉアンテナ２ａから離れる側に配置する例を示した。これは、セルラメインアンテナ１ａとセルラサブアンテナ１ｂとの距離、および、ＢＴ／ＷｉＦｉアンテナ２ａとＷｉＦｉ［２］アンテナ２ｂとの距離を確保することを意図するものである（距離を離すことによるアンテナ間アイソレーションの向上）。
【００３５】
一方、各アンテナのアンテナ特性は、例えば、グランドパターンがどのように形成されているかによっても左右される。従って、例えば、このグラウンドパターンの形状を調整することにより、図７および図８に示すように、セルラサブアンテナ１ｂおよびＷｉＦｉ［２］アンテナ２ｂを、（ＢＴ／ＷｉＦｉアンテナ２ａおよびセルラメインアンテナ１ａを基点として）セルラメインアンテナ１ａおよびＢＴ／ＷｉＦｉアンテナ２ａの近い方にそれぞれ配置するアンテナ集約実装も可能である。
【００３６】
つまり、本電子機器１００は、各無線通信システムの２つのアンテナを、直交する２辺に配置すると共に、各無線通信システムの少なくとも１つのアンテナを、各辺の中央部に配置する点を本質としており、中央部に配置したアンテナ以外のその他のアンテナを、中央部に配置したアンテナから離すべく配置することに限定されるものではない。
【００３７】
（第２実施形態）
次に、第２の実施の形態について説明する。
【００３８】
図９は、本実施形態の電子機器１００の外観およびアンテナ配置を示す図である。
【００３９】
本電子機器１００は、図９に示すように、筐体の側面に、充電コネクタ５が設けられている。充電コネクタ５は、本電子機器１００が電源として内蔵するバッテリ（電池）６を充電する電力を入力するために設けられる。充電コネクタ５は、本電子機器１００が充電器やドッカーなどと称される充電機能付きの拡張ユニットと接続された際、充電器または拡張ユニット側のコネクタと連結されるように構成されている。
【００４０】
そして、本電子機器１００は、送受信用のセルラメインアンテナ１ａを、この充電コネクタ５が配置される辺と対向する辺に配置する。言い換えれば、セルラメインアンテナ１ａを配置する辺は、充電コネクタ５が配置される辺と対向する辺とする。
【００４１】
本電子機器１００が充電器または拡張ユニットと接続された状態で無線通信が実行される場合を考える。セルラメインアンテナ１ａを、充電コネクタ５が配置される辺と対向する辺に配置することにより、本電子機器１００が充電器または拡張ユニットと接続された状態におけるセルラメインアンテナ１ａのアンテナ特性劣化を抑えることができる。
【００４２】
また、図１０に示すように、セルラメインアンテナ１ａおよびセルラサブアンテナ１ｂと、ＢＴ／ＷｉＦｉアンテナ２ａおよびＷｉＦｉ［２］アンテナ２ｂとの位置関係を、互いに入れ替えることも可能である。例えば、セルラメインアンテナ１ａを用いる無線通信システムをＢＴ／ＷｉＦｉアンテナ２ａを用いる無線通信システムよりも優先する場合、図９に示したアンテナ配置を採用し、一方、ＢＴ／ＷｉＦｉアンテナ２ａを用いる無線通信システムをセルラメインアンテナ１ａを用いる無線通信システムよりも優先する場合には、図１０に示したアンテナ配置を採用すれはよい。
【００４３】
（第３実施形態）
次に、第３の実施の形態について説明する。
【００４４】
図１１は、本実施形態の電子機器１００の外観およびアンテナ配置を示す図である。
【００４５】
本電子機器１００は、図１１に示すように、筐体の前面のタッチパネルディスプレイ４の周辺部に、操作用のハードキー７が設けられている。そして、本電子機器１００は、セルラメインアンテナ１ａ、セルラサブアンテナ１ｂ、ＢＴ／ＷｉＦｉアンテナ２ａおよびＷｉＦｉ［２］アンテナ２ｂの各アンテナを、このハードキー７が配置される辺とは異なる辺に配置する。言い換えれば、セルラメインアンテナ１ａおよびＷｉＦｉ［２］アンテナ２ｂを配置する辺と、ＢＴ／ＷｉＦｉアンテナ２ａおよびセルラサブアンテナ１ｂを配置する辺との直交する２辺は、ハードキー７が配置される辺とは異なる辺とする。
【００４６】
無線通信の実行中にハードキー７が操作された場合を考える。各アンテナを、ハードキー７が配置される辺とは異なる辺に配置することにより、無線通信の実行中にハードキー７が操作された場合における各アンテナのアンテナ特性劣化を抑えることができる。
【００４７】
また、図１２に示すように、セルラメインアンテナ１ａおよびセルラサブアンテナ１ｂと、ＢＴ／ＷｉＦｉアンテナ２ａおよびＷｉＦｉ［２］アンテナ２ｂとの位置関係を、互いに入れ替えることも可能である。
【００４８】
（第４実施形態）
次に、第４の実施形態について説明する。
【００４９】
図１３は、本実施形態の電子機器１００の外観およびアンテナ配置を示す図である。
【００５０】
前述した第２の実施形態では、電池６を充電する電力を入力するための充電コネクタ５が筐体の側面に設けられる場合のアンテナ配置例を説明した。これに対して、本電子機器１００は、電池６を充電する電力を電気的に非接触な状態で入力するためのワイヤレス充電アンテナ９を筐体に内蔵する。そして、本電子機器１００は、このワイヤレス充電アンテナ９を筐体に内蔵するにあたって、当該ワイヤレス充電アンテナ９を、回路基板８の背面側に載置する。図１４は、ワイヤレス充電アンテナ９の回路基板８上への載置例を示すための部分断面図である。
【００５１】
図１４に示すように、ワイヤレス充電アンテナ９は、回路基板８上のタッチパネルディスプレイ４方向と対向する側に載置される。正面側と比較すると一般的に回路の密集度の低い背面側にワイヤレス充電アンテナ９を配置することで、電池６の発熱を少しでも低下させる。これにより、本電子機器１００は、さらに、電池６の特性劣化を抑えること（長寿命化を図ること）を実現する。
【００５２】
（第５実施形態）
次に、第５の実施形態について説明する。
【００５３】
図１５は、本実施形態の電子機器１００の外観およびアンテナ配置を示す図である。
【００５４】
前述した第１乃至第４の実施形態では、各無線通信システムの２つのアンテナを、直交する２辺に配置すると共に、各無線通信システムの少なくとも１つのアンテナを、各辺の中央部に配置する例を説明した。
【００５５】
一方、本電子機器１００のような携帯型の電子機器では、最近、静止画像や動画像を撮影するためのカメラを搭載する場合が増えてきている。そして、カメラは、表示画面の周辺部であって、筐体の一辺の中央部に配置される場合が多い。また、カメラを配置する辺は、同時に、（ユーザの体から離れる）アンテナを配置するのに好適な辺でもある。カメラの位置とアンテナの位置とではカメラの位置が優先されるので、当該辺の中央部にアンテナを配置することはできない。即ち、前述した第１乃至第４の実施形態のように、各無線通信システムの少なくとも１つのアンテナを、各辺の中央部に配置することを実施できない。
【００５６】
このような場合、本電子機器１００は、カメラ１０が配置される辺と、この辺と直交する辺との２辺に、セルラメインアンテナ１ａおよびセルラサブアンテナ１ｂの２つのアンテナと、ＢＴ／ＷｉＦｉアンテナ２ａおよびＷｉＦｉ［２］アンテナ２ｂの２つのアンテナとをそれぞれ配置し、これら２組みのアンテナのうちの一方を、カメラ１０が配置される辺と直交する辺の中央部に配置する。図１５の例では、セルラメインアンテナ１ａを、カメラ１０が配置される辺と直交する辺の中央部に配置している。また、ＢＴ／ＷｉＦｉアンテナ２ａは、カメラ１０が配置される辺であって、当該カメラ１０の近傍に配置している。このセルラメインアンテナ１ａおよびセルラサブアンテナ１ｂと、ＢＴ／ＷｉＦｉアンテナ２ａおよびＷｉＦｉ［２］アンテナ２ｂとの位置関係は、図１６に示すように、互いに入れ替えることも可能である。
【００５７】
本電子機器１００では、２つの無線通信システムのアンテナのうち、一方のみを（手で握られる可能性が低いと推測される）辺の中央部に配置するが、各無線通信システムの２つのアンテナを、直交する２辺に配置することにより、少なくとも１つのアンテナを、手で覆われていない状態に維持することができる。よって、本電子機器１００でも、ユーザによって把持された場合におけるアンテナ特性劣化を抑えることが実現できる。
【００５８】
（第６実施形態）
次に、第６の実施形態について説明する。
【００５９】
前述した第４の実施形態では、電力を電気的に非接触な状態で入力可能なワイヤレス充電アンテナ９を用いて電池６の充電が行われる場合を例示した。このワイヤレス充電アンテナ９を用いた電池６の充電は、例えばクレードルなどと称される充電機能付きの拡張ユニットにセットすることによって実行する。
【００６０】
本電子機器１００が拡張ユニットにセットされた状態で利用される場合を考える。前述したように、本電子機器１００は、タッチパネルディスプレイ４を縦長および横長のいずれの方向でも利用することができる。また、ワイヤレス充電アンテナ９は、電力を電気的に非接触な状態で入力可能なので、この利点を活かすべく、例えば図１７に示すように、拡張ユニット２００への本電子機器１００のセットを、縦長（図１７の”ｅ１”）および横長（図１７の”ｅ２”）のいずれの方向でも行えるように、拡張ユニット２００を構成することが好ましい。
【００６１】
そこで、本実施形態の電子機器１００は、図１８または図１９に示すように、各無線通信システムの２つのアンテナが配置される直交する２辺が交わる一角と対向する一角にワイヤレス充電アンテナ９を配置する。図１８は、ワイヤレス充電アンテナ９を矩形に形成した例を示し、図１９は、ワイヤレス充電アンテナ９をＬ字形に形成した例を示している。ワイヤレス充電アンテナ９を矩形またはＬ字型に形成することにより、ワイヤレス充電アンテナ９が配置される一角で交わる２辺のいずれにも、ワイヤレス充電アンテナ９のいずれかの辺が沿うことになる。よって、ワイヤレス充電アンテナ９が配置される一角で交わる２辺のいずれを下端として電子機器１００を拡張ユニット２００にセットしても、ワイヤレス充電アンテナ９を介した電池６の充電が可能となる。
【００６２】
また、この位置（各無線通信システムの２つのアンテナが配置される直交する２辺が交わる一角と対向する一角）にワイヤレス充電アンテナ９を配置することにより、本電子機器１００を縦長および横長のいずれで拡張ユニット２００にセットしても、辺の中央部に配置したアンテナが拡張ユニット２００で覆われることがない。
【００６３】
なお、前述した第４の実施形態では、ワイヤレス充電アンテナ９を回路基板８の背面側に載置する例を説明したが、回路基板８上に限らず、ワイヤレス充電アンテナ９は、例えば筐体の背面側の内壁に配置して、ハーネスや同軸ケーブル等で回路基板８と接続するようにしても良い。
【００６４】
このように、本電子機器１００は、いずれの向きでセットしても充電を行うことのできるワイヤレス充電アンテナ９の配置を実現でき、また、ユーザによって把持された場合に加えて、拡張ユニット２００にセットされた状態におけるアンテナ特性劣化を抑えることを実現できる。
【００６５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００６６】
１ａ…セルラメインアンテナ、１ｂ…セルラサブアンテナ、２ａ…ＢＴ／ＷｉＦｉアンテナ、２ｂ…ＷｉＦｉ［２］アンテナ、３…ＧＰＳアンテナ、４…タッチパネルディスプレイ、５…充電コネクタ、６…電池、７…ハードキー、８…回路基板、９…ワイヤレス充電アンテナ、１０…カメラ、１００…電子機器、２００…拡張ユニット。
【図１】
2012199687.tif 000003
【図２】
2012199687.tif 000004
【図３】
2012199687.tif 000005
【図４】
2012199687.tif 000006
【図５】
2012199687.tif 000007
【図６】
2012199687.tif 000008
【図７】
2012199687.tif 000009
【図８】
2012199687.tif 000010
【図９】
2012199687.tif 000011
【図１０】
2012199687.tif 000012
【図１１】
2012199687.tif 000013
【図１２】
2012199687.tif 000014
【図１３】
2012199687.tif 000015
【図１４】
2012199687.tif 000016
【図１５】
2012199687.tif 000017
【図１６】
2012199687.tif 000018
【図１７】
2012199687.tif 000019
【図１８】
2012199687.tif 000020
【図１９】
2012199687.tif 000021